(57)【要約】【課題】トーションスプリングのパネルへの組み付けが容易に行うことができて、かつ、組み付け後も外力によって容易に外れない。【解決手段】スプリング保持部が、トーションスプリングのアームを受容する、上方へ延在する第一突起部を有する第一リブと横方へ延在する第二突起部とを具備し、第一突起部は少なくとも第二突起部より上方へ延在し、第二突起部はアームを下方へ案内するための斜面とアームを係止する下面とを備え、アームは当該スプリング保持部に受容されている状態ではトーションスプリングの横方向付勢力により第一突起部の内側と当接すると共にトーションスプリングの捩り方向付勢力により第一リブ上面に押圧され、第二突起部はこの状態でアームの上方を超えて横方向に突出している。【選択図】図１
2007185992.tif 000002
【特許請求の範囲】
【請求項１】
トーションスプリングのアームを受容する、上方へ延在する第一突起部を有する第一リブと横方へ延在する第二突起部とを具備するスプリング保持部であって、前記第一突起部は少なくとも第二突起部より上方へ延在し、該第二突起部はアームを下方へ案内するための斜面とアームを係止する下面とを備え、前記アームは当該スプリング保持部に受容されている状態ではトーションスプリングの横方向付勢力により第一突起部の内側と当接すると共にトーションスプリングの捩り方向付勢力により第一リブ上面に押圧され、前記第二突起部はこの状態でアームの上方を超えて横方向に突出することを特徴とするスプリング保持部。
【請求項２】
前記第二突起部が第二リブを介して横方へ延在することを特徴とする請求項１に記載のスプリング保持部。
【請求項３】
前記第一リブの上面が第一突起部の方向に下る斜面であることを特徴とする請求項１または２に記載のスプリング保持部。
【発明の詳細な説明】
【技術分野】
【０００１】
本発明はスプリング保持部、特に、車両内で使用される小物入れなどの扉が開閉動作するユニットに用いるスプリング保持部に関する。
【背景技術】
【０００２】
図６に示すように、概して、小物入れは、扉１とパネル２とトーションスプリング３とオイルダンパ４とギア５とを具備する。
【０００３】
それらの組み付けに際しては、まず、オイルダンパ４をその爪部によってパネル２の一方の側面に固定し、パネル２に扉１を上方より挿入する。次に、トーションスプリング３をパネルの他方の側面に扉１が開扉する方向に付勢力が働くよう組み付け、さらにギア５をパネル２のオイルダンパと噛合するよう貫通孔を通して側面に前記扉１とスナップフィットによって組み付ける。
【０００４】
このような構成の小物入れは、扉１を押すことによりロック機構（図示略）が解除され、トーションスプリング３の捩り方向付勢力によって扉１が開扉する。その際にギア５と噛合するオイルダンパ４の作用によって扉１は急激には開扉せず、開扉動作に重厚感を与えている。
【０００５】
ここで、従来型のトーションスプリング３のパネル２への組み付けについて図７に示す。トーションスプリング３をパネル２へ組み付けられる前、つまり捩り方向付勢力の生じていないトーションスプリング３のアーム７の初期位置を位置Ｘで示す。このアーム７をトーションスプリング３の捩り方向付勢力に抗して時計回りに回転させ、パネル２表面に形成されたＬ字型で細い溝型のスプリング保持部６の隅にその端部を係合させる。
【発明の開示】
【発明が解決しようとする課題】
【０００６】
この組み付けは手作業で行われるが、トーションスプリング３の端部を係合させるために挿入しなければならないスプリング保持部６の溝が細いので、組み付け作業が非常に困難である。また、図７に示すようなＬ字型で溝型の隅にその端部が係合しているだけであるという構造のため、アーム７を反時計周りに回転させる方向に外力が加わるだけでトーションスプリング３が外れる可能性がある。トーションスプリング３が外れてしまうと、扉がスムーズに開かず、本来の機能を達成することができない。
【課題を解決するための手段】
【０００７】
前記課題を解決するために１番目の発明によれば、スプリング保持部が、トーションスプリングのアームを受容する、上方へ延在する第一突起部を有する第一リブと横方へ延在する第二突起部とを具備し、第一突起部は少なくとも第二突起部より上方へ延在し、第二突起部はアームを下方へ案内するための斜面とアームを係止する下面とを備え、アームは当該スプリング保持部に受容されている状態ではトーションスプリングの横方向付勢力により第一突起部の内側と当接すると共にトーションスプリングの捩り方向付勢力により第一リブ上面に押圧され、第二突起部はこの状態でアームの上方を超えて横方向に突出することを特徴としている。
【０００８】
また、２番目の発明によれば１番目の発明において、第二突起部が第二リブを介して横方へ延在することを特徴としている。
【０００９】
また、３番目の発明によれば１番目または２番目の発明において、第一リブの上面が第一突起部の方向に下る斜面であることを特徴としている。
【発明の効果】
【００１０】
トーションスプリングのパネルへの組み付けが容易に行うことができて、かつ、組み付け後もトーションスプリングは外力によって容易に外れることがない。
【発明を実施するための最良の形態】
【００１１】
図１に本発明による、パネル２に取り付けられ、トーションスプリング３のアーム７を保持している扉開閉ユニットのスプリング保持部６を示す。スプリング保持部６は第一リブ８と第二リブ９とを有し、第一リブ８は上方へ延在する第一突起部１０を、第二リブは横方へ延在する第二突起部１１をそれぞれ有する。
【００１２】
第二リブ９のパネル２表面に対して長手方向に垂直な断面を図２に示す。第二突起部１１は斜面１２と下面１３とによって形成され、第一突起部１０は少なくとも第二突起部１１より図２において上方へ延在している。
【００１３】
また、トーションスプリング３のアーム７がスプリング保持部６に保持された状態を扉側から見たそれぞれの位置関係の略視図を図３に示す。第一突起部１０が、トーションスプリング３の横方向付勢力１６のためアーム７に生じる反時計周りの動きを抑止し、そのとき、第二突起部１１は少なくともアーム７の端部がその下に係るよう横方へ延在する。
【００１４】
これらの組み付けは図１において、まず、前述と同様の初期位置にあるアーム７をトーションスプリング３の捩り方向付勢力１５に抗して時計回りに回転させ、第一突起部１０を外側から跨いでスプリング保持部６の内部にアーム７を移動させる。この状態ではアーム７は実質的に撓むことなく第二突起部１１の上方で、トーションスプリング３の横方向付勢力１６のため第一突起部１０の内側に当接している。さらにその状態から組み付けを完成するためアーム７を下方へ移動させるためには、第二突起部１１を跨がなければならないが、そのとき、第一突起部１０に当接している点を支点としてアーム７が撓み、それにより、アーム７先端を第二リブ９に向けて押圧する方向の弾発力が発生する。しかし、第二突起部１１の上部が斜面１２を形成しているため、アーム７は下方に力を加えるだけで徐々に増大するその弾発力に抗して斜面１２に沿って滑動し、さらにアーム７を押し込むことで斜面１２を抜けると、その弾発力により撓みが一気に復元し、アーム７は下面１３の下方に実質的に撓まず図３の状態に落ち着く。
【００１５】
従来型のスプリング保持部６は、その細い溝にアーム７の端部を組み付けなければならないのに対して（図７）、本発明のスプリング保持部６を用いると、十分な空間のある第一突起部１０の上方を跨いでさらに下方へ押圧するだけなので、組み立てが非常に簡易である。
【００１６】
また、捩り方向付勢力１５がより強いトーションスプリング３を用いることで、前述のように第二突起部１１を跨ぐためにトーションスプリング３を押圧しなくても捩り方向付勢力１５のみで第二突起部１１を跨ぐことが可能となり、組み立てがさらに簡便になる。
【００１７】
さらに、組み付けられたアーム７を外そうとしても、アーム７をそのまま上方へ持ち上げただけでは第二突起部１１があるため当然外すことはできない。その第二突起部１１を跨ぐためにアーム７をその弾発力に抗して、アーム７を第二突起部１１の高さを超えるだけ撓ませ、そこからさらに、トーションスプリング３の捩り方向付勢力１５に抗して上方へ移動させ、さらに第一突起部１０を跨がなければならない。従来技術のトーションスプリング３は、トーションスプリング３の捩り方向付勢力１５に抗してアーム７を回転させるという概ね２次元的な動作でスプリング保持部６から外れたのに対して、本発明は３次元的に力を加えてアーム７を移動させなければ外れないということになり、より外れにくい構造となっていることは明らかである。
【００１８】
さらに別の実施形態として前述の構造に加え、図４に示すように、第一リブ８の上面を第一突起部１０に下る斜面１４とすることによって、アーム７がトーションスプリング３の横方向付勢力１６に加えてさらに、第一突起部１０に押圧される状態となり、よりしっかりとした組み付けにすることもできる。
【００１９】
また、前述した実施形態は、第二突起部１１が横方へ延在する第二リブ９を有しているが、別の実施形態として図５に示すように、第二突起部１１が第二リブ９を介さずにパネル２から直接横方へ延在するようにしてもよい。
【００２０】
なお、本発明によるスプリング保持部６はパネル２と一体的に成形されてもよく、また、別部品として製作して取り付けてもよい。
【図面の簡単な説明】
【００２１】
【図１】本発明によるスプリング保持部の外観図である。
【図２】第二リブ９のパネル２表面に対して長手方向に垂直な断面の略視図である。
【図３】本発明によるスプリング保持部の上方から見た略視図である。
【図４】図２において第二リブの上面が斜面である略視図である。
【図５】本発明の別の実施形態によるスプリング保持部の外観図である。
【図６】トーションスプリングを含む小物入れの組立分解図である。
【図７】従来のトーションスプリングの組み付けを示す図である。
【符号の説明】
【００２２】
１    扉
２    パネル
３    トーションスプリング
４    オイルダンパ
５    ギア
６    スプリング保持部
７    アーム
８    第一リブ
９    第二リブ
１０    第一突起部
１１    第二突起部
１２    斜面
１３    下面
１４    斜面
１５    捩り方向付勢力
１６    横方向付勢力
【図１】
2007185992.tif 000003
【図２】
2007185992.tif 000004
【図３】
2007185992.tif 000005
【図４】
2007185992.tif 000006
【図５】
2007185992.tif 000007
【図６】
2007185992.tif 000008
【図７】
2007185992.tif 000009